(57)【要約】【課題】簡単な構造によって、ディスプレイパネルの強度を増強し、装置の剛性を高めるとともに、装置内で発生する熱を確実かつ効果的に装置外に逃がすことができるようにする。【解決手段】液晶ディスプレイパネル２０の背面の左側位置および右側位置に、左側放熱板３１および右側放熱板３２を取り付ける。左側放熱板３１および右側放熱板３２は、それぞれフィンが複数配列形成された、背面中央側に支持部３１ａおよび３２ａを有する断面ほぼＬ字状のものとする。フィンが複数配列形成された中央背面カバー３３の左右端部を、回路部４７を覆うように左側放熱板３１および右側放熱板３２の支持部３１ａおよび３２ａに取り付け固定する。左側放熱板３１および右側放熱板３２の背後に、中央背面カバー３３の面とほぼ同一の面を形成するように左側背面カバー３５および右側背面カバー３６を取り付ける。【選択図】図２
2006053529.tif 000002
【特許請求の範囲】
【請求項１】
ディスプレイパネルと、
このディスプレイパネルの背面の左側位置に取り付けられた、前記背面の中央側の端部に上下方向に延長する支持部を有する断面ほぼＬ字状の左側放熱板と、
前記背面の右側位置に取り付けられた、前記背面の中央側の端部に前記左側放熱板の支持部と対向して上下方向に延長する支持部を有する断面ほぼＬ字状の右側放熱板と、
左右端部が前記左側放熱板および前記右側放熱板の支持部に取り付け固定された中央背面カバーと、
前記左側放熱板の背後に取り付けられた左側背面カバーと、
前記右側放熱板の背後に取り付けられた右側背面カバーと、
を備えることを特徴とするディスプレイパネル装置。
【請求項２】
請求項１のディスプレイパネル装置において、
前記中央背面カバーは、上下方向に延長するフィンが左右方向に複数配列形成されていることを特徴とするディスプレイパネル装置。
【請求項３】
請求項２のディスプレイパネル装置において、
前記中央背面カバーは、アルミニウムの押し出し材によって形成されていることを特徴とするディスプレイパネル装置。
【請求項４】
請求項１のディスプレイパネル装置において、
前記ディスプレイパネルは液晶ディスプレイパネルであることを特徴とするディスプレイパネル装置。
【請求項５】
請求項１のディスプレイパネル装置において、
前記中央背面カバーの左右端部の、前記左側放熱板および前記右側放熱板の支持部に取り付け固定された箇所の近傍部分に、壁掛けユニットが取り付けられていることを特徴とするディスプレイパネル装置。
【発明の詳細な説明】
【技術分野】
【０００１】
この発明は、液晶ディスプレイパネル装置などのディスプレイパネル装置に関する。
【背景技術】
【０００２】
液晶ディスプレイパネル装置などのディスプレイパネル装置は、ディスプレイの大画面化に伴って、ディスプレイパネルの強度を増強し、装置の剛性を高めるとともに、装置内で発生する熱を確実かつ効果的に装置外に逃がす必要がある。
【０００３】
この点に関連して、特許文献１（特開２００３−１５００７６号公報）には、フロントカバーの短手方向に跨って設けられる左右および中央のステーによって液晶ディスプレイパネルの周辺縁部を押えることによって、液晶ディスプレイパネルをフロントカバーに固定し、液晶ディスプレイパネルの背面側には、平板状のリアカバーを取り付けることが示されている。
【０００４】
上に挙げた先行技術文献は、以下のとおりである。
【特許文献１】特開２００３−１５００７６号公報
【発明の開示】
【発明が解決しようとする課題】
【０００５】
しかしながら、上記の構造では、ディスプレイパネルの強度を十分に増強し、装置の剛性を十分に高めるとともに、装置内で発生する熱を確実かつ効果的に装置外に逃がすことは難しい。
【０００６】
そこで、この発明は、簡単な構造によって、ディスプレイパネルの強度を増強し、装置の剛性を高めるとともに、装置内で発生する熱を確実かつ効果的に装置外に逃がすことができるようにしたものである。
【課題を解決するための手段】
【０００７】
この発明のディスプレイパネル装置は、
ディスプレイパネルと、
このディスプレイパネルの背面の左側位置に取り付けられた、前記背面の中央側の端部に上下方向に延長する支持部を有する断面ほぼＬ字状の左側放熱板と、
前記背面の右側位置に取り付けられた、前記背面の中央側の端部に前記左側放熱板の支持部と対向して上下方向に延長する支持部を有する断面ほぼＬ字状の右側放熱板と、
左右端部が前記左側放熱板および前記右側放熱板の支持部に取り付け固定された中央背面カバーと、
前記左側放熱板の背後に取り付けられた左側背面カバーと、
前記右側放熱板の背後に取り付けられた右側背面カバーと、
を備えることを特徴とする。
【発明の効果】
【０００８】
上記の構成の、この発明のディスプレイパネル装置では、ディスプレイパネルの背面側に、左側放熱板、右側放熱板および中央背面カバーが取り付けられ、しかも、左側放熱板および右側放熱板は、それぞれディスプレイパネルの背面の中央側に、上下方向に延長する支持部を有する断面ほぼＬ字状の、Ｌアングルとしての強度を有する強度メンバーとして機能するものとされ、中央背面カバーは、これら左側放熱板および右側放熱板の互いに対向する支持部に差し渡されて取り付け固定されるので、ディスプレイパネルの強度が十分に増強され、ディスプレイパネル装置の剛性が十分に高められる。
【０００９】
しかも、左側放熱板および右側放熱板が、ディスプレイパネルの背面の左右部分を覆い、それぞれの支持部で中央背面カバーに連結されるので、装置内で発生する熱が確実かつ効果的に装置外に放出される。
【００１０】
さらに、中央背面カバーをフィン構造の放熱板とする場合、その中央背面カバーは、アルミニウムの押し出し材などによって容易に形成することができるとともに、フィン構造の中央背面カバーが、ディスプレイパネルの背面中央部を広い範囲に渡って覆うので、ディスプレイパネル装置の背面側のデザイン性も優れ、機能美を実現することができる。
【発明を実施するための最良の形態】
【００１１】
［１．スタンド型のディスプレイパネル装置の例：図１〜図５］
図１は、この発明のディスプレイパネル装置の一例の正面側から見た構造を示し、ディスプレイパネル装置をスタンド型に構成した場合である。
【００１２】
この例のディスプレイパネル装置は、枠組み装置１０と液晶ディスプレイパネル２０を備え、スタンド５１に取り付けられる。
【００１３】
枠組み装置１０は、外枠１００、図１では省略した内枠（キャビネット）、および外枠１００と内枠との間に介在された透明上側板２１０、透明下側板２２０、透明左側板２３０および透明右側板２４０を備え、外枠１００の左上、右上、左下および右下のコーナー部に、コーナーカバー５１０，５２０，５３０および５４０が設けられたものである。
【００１４】
透明上側板２１０、透明下側板２２０、透明左側板２３０および透明右側板２４０は、これを介して液晶ディスプレイパネル装置の背後の壁などが見えることによって、液晶ディスプレイパネル２０の表示画面が宙に浮いているように見えるフローティング効果を創出するものである。
【００１５】
透明上側板２１０、透明下側板２２０、透明左側板２３０および透明右側板２４０は、それぞれ、アクリル板やポリカーボネート板などによって形成され、例えば、上下方向または左右方向の厚みが１０ｍｍ前後、奥行方向（前後方向）の幅が数ｃｍ以上、というように、厚みに比べて幅が大きくされる。
【００１６】
液晶ディスプレイパネル２０は、内枠の内側に取り付けられ、液晶表示素子およびバックライトを備え、さらに液晶表示素子およびバックライトを駆動する回路部や電源部を備えるものである。また、内枠の内側には左右のスピーカが配置される。
【００１７】
液晶ディスプレイパネル２０の表示画面の周縁と、透明上側板２１０、透明下側板２２０、透明左側板２３０および透明右側板２４０の内側の縁との間のエリアには、内部を覆い隠すようにフロントマスク８９０が取り付けられる。
【００１８】
図では省略したが、フロントマスク８９０には、左右のスピーカの配置位置に相当する位置に多数の微細な放音用丸穴が形成される。
【００１９】
なお、以下では、液晶ディスプレイパネル２０の表示画面の縦方向を上下方向、表示画面の横方向を左右方向、表示画面に垂直な方向（図１の紙面に垂直な方向）を奥行方向（前後方向）、より表示画面の中心に近づく方向を内側、より表示画面の中心から遠ざかる方向を外側とし、奥行方向については、図１の紙面の表側を正面側、図１の紙面の裏側を背面側とする。
【００２０】
図２に、この例のディスプレイパネル装置の構成部品を分解して示す。外枠１００は、例えば、それぞれアルミニウムの押し出し材によって形成された、外枠上側板、外枠下側板、外枠左側板および外枠右側板が、上記の各コーナー部で嵌合されて構成される。
【００２１】
その外枠上側板、外枠下側板、外枠左側板および外枠右側板の内側には、図１に示した透明上側板２１０、透明下側板２２０、透明左側板２３０および透明右側板２４０が、それぞれ両面接着テープによって貼り付けられる。
【００２２】
さらに、その透明上側板２１０、透明下側板２２０、透明左側板２３０および透明右側板２４０の内側には、それぞれ内側に取り付け用の突片を有するホルダーが、それぞれ両面接着テープによって貼り付けられる。
【００２３】
これらホルダー、および透明上側板２１０、透明下側板２２０、透明左側板２３０および透明右側板２４０が貼り付けられた外枠１００は、各ホルダーの突片がネジによって内枠９００に締結されることによって、内枠９００に取り付けられる。内枠９００は、プラスチックの一体成形などによって形成される。
【００２４】
液晶ディスプレイパネル２０は、内枠９００の内側に取り付けられ、フロントマスク８９０は、内枠９００の前面側に取り付けられる。
【００２５】
さらに、液晶ディスプレイパネル２０の背面の左側位置および右側位置には、左側放熱板３１および右側放熱板３２が取り付けられる。左側放熱板３１および右側放熱板３２は、それぞれ、上下方向に延長するフィンが左右方向に複数配列形成されるとともに、液晶ディスプレイパネル２０の背面の中央側の端部に、すなわち、左側放熱板３１については右側の端部に、右側放熱板３２については左側の端部に、フィンより背の高い、上下方向に延長する支持部３１ａおよび３２ａを有する断面ほぼＬ字状のものされ、例えば同一断面形状を有するアルミニウムの押し出し材によって形成される。
【００２６】
左側放熱板３１および右側放熱板３２は、このように、それぞれ支持部３１ａおよび３２ａが一体的に形成されることによって、それぞれは全体的にＬアングルとしての強度を有する強度メンバーとして機能する。
【００２７】
これら左側放熱板３１および右側放熱板３２の背後には、それぞれファン４１および４２が取り付けられる。図２では、ファン４１および４２を、２つずつ示しているが、それぞれ、一方は取り付け後の状態を示し、他方は取り付け前の状態を示している。
【００２８】
スタンド構造として、スタンド５１にはスタンド支柱５２が設けられ、スタンド支柱５２にはスタンドホルダー５３が取り付けられ、そのスタンドホルダー５３によって、スタンド５１が液晶ディスプレイパネル２０の背面部に取り付けられる。
【００２９】
液晶ディスプレイパネル２０の背面の、左側放熱板３１の右端に形成された支持部３１ａと右側放熱板３２の左端に形成された支持部３２ａとの間の部分には、電源回路や駆動回路などの回路部（回路基板）４７が取り付けられる。
【００３０】
さらに、液晶ディスプレイパネル２０の背面の、左側放熱板３１と右側放熱板３２の間の部分には、左側放熱板３１および右側放熱板３２より後方側の位置に、回路部４７を覆うように中央背面カバー３３が取り付けられる。
【００３１】
中央背面カバー３３も、左側放熱板３１および右側放熱板３２と同様に、上下方向に延長するフィンが左右方向に複数配列形成されたもので、例えばアルミニウムの押し出し材によって形成される。
【００３２】
ただし、この例は、中央背面カバー３３として横幅の大きいものを１枚の押し出し材によって得ることが難しいため、図３にも示すように、４枚のカバー３３ａ，３３ｂ，３３ｃおよび３３ｄを形成し、これらを連結具３４ａ，３４ｂおよび３４ｃによって連結して、中央背面カバー３３とする場合である。
【００３３】
中央背面カバー３３は、液晶ディスプレイパネル２０の背面の上方位置ではステー６１に、液晶ディスプレイパネル２０の背面の下方位置ではステー６３に、それぞれ図３に示すネジ６６によって、上記のように回路部４７を覆うように取り付ける。
【００３４】
図４に、液晶ディスプレイパネル２０の背面側から見て右側の取り付け構造を示す。中央背面カバー３３の右端部は、右側放熱板３２の左端に形成された支持部３２ａに、ネジ６５によって取り付けられる。図３において中央背面カバー３３の左端部にもネジ６５を示すように、中央背面カバー３３の左端部は、左側放熱板３１の右端に形成された支持部３１ａに、ネジ６５によって取り付けられる。
【００３５】
図５に示すように、中央背面カバー３３の下側にはコネクタブラケット３７を取り付け、コネクタブラケット３７の下部の窓部３８に、上記の回路部４７に電源および信号を供給するコネクタプラグ４９を差し込む。
【００３６】
さらに、液晶ディスプレイパネル２０の背面側には、中央背面カバー３３の面とほぼ同一の面を形成する位置に、それぞれ左側放熱板３１および右側放熱板３２を覆う左側背面カバー３５および右側背面カバー３６が取り付けられる。ただし、これら左側背面カバー３５および右側背面カバー３６は、中央背面カバー３３とは異なり、平板状の、例えばプラスチック成型品とされ、内枠９００および中央背面カバー３３に、ネジ６７によって取り付けられる。
【００３７】
以上の背面構造では、液晶ディスプレイパネル２０の背面側に、左側放熱板３１、右側放熱板３２および中央背面カバー３３が取り付けられ、しかも、左側放熱板３１および右側放熱板３２は、それぞれ液晶ディスプレイパネル２０の背面の中央側に上下方向に延長する支持部３１ａおよび３２ａを有する断面ほぼＬ字状の、Ｌアングルとしての強度を有する強度メンバーとして機能するものとされ、中央背面カバー３３は、これら左側放熱板３１および右側放熱板３２の互いに対向する支持部３１ａおよび３２ａに差し渡されて取り付け固定されるので、液晶ディスプレイパネル２０の強度が十分に増強され、液晶ディスプレイパネル装置の剛性が十分に高められる。
【００３８】
しかも、それぞれフィン構造の左側放熱板３１、右側放熱板３２および中央背面カバー３３が、液晶ディスプレイパネル２０の背面をほぼ全面に渡って覆うので、装置内で発生する熱が確実かつ効果的に装置外に放出される。
【００３９】
特に、液晶ディスプレイパネル２０で発生する熱は、左側放熱板３１および右側放熱板３２で下げられるとともに、さらに中央背面カバー３３に伝導して確実に中央背面カバー３３のフィンによって放熱される。
【００４０】
さらに、例えばアルミニウムの押し出し材からなるフィン構造の中央背面カバー３３が、液晶ディスプレイパネル２０の背面中央部を広い範囲に渡って覆うので、液晶ディスプレイパネル装置の背面側のデザイン性も優れ、機能美を実現することができる。しかも、中央背面カバー３３の両側には、中央背面カバー３３の面とほぼ同一の面を形成する左側背面カバー３５および右側背面カバー３６が取り付けられるので、より体裁がよくなる。
【００４１】
さらに、中央背面カバー３３、左側背面カバー３５および右側背面カバー３６を、アルミニウムなどの、同一材料によって形成し、かつ、黒色などの、同一色に塗装すれば、よりデザイン性が優れたものとなる。
【００４２】
［２．壁掛け型のディスプレイパネル装置の例：図６および図７］
この発明のディスプレイパネル装置は、壁掛け型に構成することもできる。
【００４３】
図６に、その場合の一例を示す。この例も、液晶ディスプレイパネル装置の場合で、液晶ディスプレイパネル２０の背面構造は、スタンドおよびこれに関連する部材が存在しない点を除いて、図１〜図５に示して上述したような構成である。
【００４４】
そして、この例では、図７にも示すように、その液晶ディスプレイパネル装置５の背面に壁掛けユニット７０が取り付けられる。
【００４５】
具体的に、液晶ディスプレイパネル装置５の背面側において、角パイプ状の取り付け用バー７１，７２および７３が、左側背面カバー３５および右側背面カバー３６に差し渡されるように、左側背面カバー３５および右側背面カバー３６を介して中央背面カバー３３に、ネジ７６によって取り付けられ、これら取り付け用バー７１，７２および７３と、壁９に固定される取り付け板７４とが、連結機構７５によって連結される。
【００４６】
したがって、液晶ディスプレイパネル装置５は、図７に示すような前傾した状態と、壁９に対してほぼ平行な状態との間で、その傾きを変えることができる。
【００４７】
［３．他の実施形態］
上述した例は、液晶ディスプレイパネル装置の場合であるが、この発明は、プラズマディスプレイパネル装置などの他のディスプレイパネル装置にも適用することができる。
【図面の簡単な説明】
【００４８】
【図１】この発明のディスプレイパネル装置の一例の正面側から見た構造を示す図である。
【図２】この発明のディスプレイパネル装置の一例の各構成部品を分解して示す図である。
【図３】中央背面カバーの例を示す図である。
【図４】この発明のディスプレイパネル装置の一例の一部の上方から見た構造を示す図である。
【図５】この発明のディスプレイパネル装置の一例の背面構造の一部を示す図である。
【図６】壁掛け型のディスプレイパネル装置の一例を示す図である。
【図７】壁掛け型のディスプレイパネル装置の一例を示す図である。
【符号の説明】
【００４９】
主要部については図中に全て記述したので、ここでは省略する。
【図１】
2006053529.tif 000003
【図２】
2006053529.tif 000004
【図３】
2006053529.tif 000005
【図４】
2006053529.tif 000006
【図５】
2006053529.tif 000007
【図６】
2006053529.tif 000008
【図７】
2006053529.tif 000009